(57)【要約】【課題】大型化を抑えつつ係止強度を高めたカードコネクタを提供する。【解決手段】挿入方向（矢印Ａ方向）に交わる幅方向側面に係止凹部３３が形成されたトレイ３０を受容する受容空間１ｂが形成されたカードコネクタ１Ａであって、受容空間１ｂに受容されたトレイ３０の係止凹部３３に入り込んでトレイ３０を係止する係止部１２１を有するフックバネ１２と、そのフックバネ１２の圧入部１２２の圧入を受ける圧入溝１１１ａを有する突起部１１１が形成されたハウジング１１と、スライダ１４と、イジェクトレバー１５とを備え、スライダ１４が、突起部１１１が嵌入してその突起部１１１を幅方向両側から挟持し、突起部１１１の変位を抑える挟持部１４１を備えた。【選択図】        図３
0003189195.tif 000002
【実用新案登録請求の範囲】
【請求項１】
挿入方向に挿入されてきた、該挿入方向に交わる幅方向側面に係止凹部が形成された挿入体を受容する受容空間が形成されたカードコネクタであって、
前記受容空間に受容された前記挿入体の前記係止凹部に入り込んで該挿入体を係止する係止部を有し、該係止部から延びて奥側に圧入部を有するフックバネと、
前記フックバネの前記圧入部を受ける圧入溝を有する突起部が形成されたハウジングと、
前記受容空間に受容された前記挿入体に対する、前記幅方向について前記フックバネが配置された側と同じ側に前記挿入方向にスライド自在に配置されたスライダと、
前記受容空間奥側に配置され前記幅方向に延びて途中に回動軸を有し、挿入方向奥側にスライドしたスライダに第１端が押されて回動し前記挿入体を第２端で押し出すイジェクトレバーとを備え、
前記スライダが、挿入されてきた前記挿入体で前記第２端が押されて回動した前記イジェクトレバーの前記第１端で押されて前記挿入方向手前側にスライドしたときに、前記突起部が嵌入し、該突起部を前記幅方向両側から挟持し、該突起部の変位を抑える挟持部を備えたこと特徴とするカードコネクタ。
【請求項２】
前記挿入体が、前記係止凹部が形成された側面と同じ側面であって該係止凹部よりも前記挿入方向奥側に第２の係止凹部を有し、
前記スライダが、前記挟持部から延び前記受容空間に受容された前記挿入体の前記第２の係止凹部に入り込んで該挿入体を係止する第２の係止部を有することを特徴とする請求項１記載のカードコネクタ。
【請求項３】
前記挿入体が、カードが搭載されて該カードとともに前記受容空間に挿入されるカードトレイを有し、該カードトレイに前記係止凹部が形成されていることを特徴とする請求項１又は２記載のカードコネクタ。
【考案の詳細な説明】
【技術分野】
【０００１】
本考案は、メモリカードやＳＩＭ（加入者識別モジュール）カード等のカードが挿入されるカードコネクタに関する。
【背景技術】
【０００２】
カードコネクタの場合、カードが挿入された状態で多少の衝撃が加わってもカードが正規の挿入位置から抜け出ないように保持しておく必要がある。
【０００３】
特許文献１，２には、カードを２箇所で係止するコネクタが開示されている。
【先行技術文献】
【特許文献】
【０００４】
【特許文献１】特開２００５−２４３４８９号公報
【特許文献２】特開２００６−１００２１０号公報
【考案の概要】
【考案が解決しようとする課題】
【０００５】
カードの係止箇所を増やせば衝撃に対し強固になるが、メモリコネクタの大型化を招きやすい。一方、係止箇所の増加を抑えて係止強度を高めようとすると、大型の係止部材を必要としたり、その係止部材を強固に固定する必要が生じたりなど、係止箇所を増やすことと同様、カードコネクタの大型化を招くおそれがある。
【０００６】
本考案は、大型化を抑えつつ係止強度を高めたカードコネクタを提供することを目的とする。
【課題を解決するための手段】
【０００７】
本考案のカードコネクタは、挿入方向に挿入されてきた、その挿入方向に交わる幅方向側面に係止凹部が形成された挿入体を受容する受容空間が形成されたカードコネクタであって、
受容空間に受容された挿入体の係止凹部に入り込んで挿入体を係止する係止部を有し、その係止部から延びて奥側に圧入部を有するフックバネと、
フックバネの圧入部を受ける圧入溝を有する突起部が形成されたハウジングと、
受容空間に受容された挿入体に対する、上記幅方向についてフックバネが配置された側と同じ側に挿入方向にスライド自在に配置されたスライダと、
受容空間奥側に配置され幅方向に延びて途中に回動軸を有し、挿入方向奥側にスライドしたスライダに第１端が押されて回動し挿入体を第２端で押し出すイジェクトレバーとを備え、
上記スライダが、挿入されてきた挿入体で第２端が押されて回動したイジェクトレバーの第１端で押されて挿入方向手前側にスライドしたときに、上記突起部が嵌入し、その突起部を幅方向両側から挟持し、突起部の変位を抑える挟持部を備えたこと特徴とする。
【０００８】
本考案のカードコネクタは、スライダが上記の挟持部を備えたことにより、挿入体が挿入された状態において、フックバネの圧入部が圧入されている突起部の剛性が高められる。また、本考案によれば、スライダに上記の挟持部が設けられているため、部品点数の増加も不要である。したがって、突起部を大型化することで剛性を高める必要がなく、部品点数の増加もないことから、大型化が抑えられつつ、フックバネによる係止強度が高められる。
【０００９】
ここで本考案のカードコネクタにおいて、上記挿入体が、上前記係止凹部が形成された側面と同じ側面であってその係止凹部よりも挿入方向奥側に第２の係止凹部を有し、上記スライダが、上記挟持部から延び受容空間に受容された挿入体の第２の係止凹部に入り込んで挿入体を係止する第２の係止部を有することが好ましい。
【００１０】
第２の係止部はスライダの挟持部を延長するだけで形成することができ、この第２の係止部を第２の係止凹部に係止させる構成とすることで、大型化を抑えたまま、挿入体の不用意な抜けが一層強固に防止される。
【００１１】
ここで、本考案において、上記挿入体は、カード自体であって、そのカード自体に係止凹部が形成されていてもよい。あるいは、上記挿入体は、カードが搭載されてカードとともに受容空間に挿入されるカードトレイを有し、そのカードトレイに係止凹部が形成されていてもよい。ただし、カードトレイに係止凹部を形成し、そのカードトレイにカードを搭載して受容空間に挿入するタイプのカードコネクタの場合、カード自体にはこの係止構造に関する考慮は不要である。したがって、本考案は、カードトレイを備えたタイプのカードコネクタにより向いている。
【考案の効果】
【００１２】
以上の本考案のカードコネクタによれば、大型化を招くことなく、挿し込まれた状態の挿入体の不用意な抜けが防止される。
【図面の簡単な説明】
【００１３】
【図１】本考案の第１実施形態としてのカードコネクタの、トレイを抜き出した状態の平面図である。
【図２】図１に示すカードコネクタから金属シェルを取り除いた状態の、カードコネクタの平面図である。
【図３】トレイが受容空間に受容された状態のカードコネクタの平面図である。
【図４】受容空間に受容されたトレイが押し出された状態を示した、カードコネクタの平面図である。
【図５】本考案の第２実施形態のカードコネクタの、トレイが受容空間に受容された状態を示す平面図である。
【図６】受容空間に受容されたトレイが押し出された状態を示す、図５のカードコネクタの平面図である。
【考案を実施するための形態】
【００１４】
以下、本考案の実施形態について説明する。
【００１５】
図１は、本考案の第１実施形態としてのカードコネクタの、トレイを抜き出した状態の平面図である。
【００１６】
また、図２は、図１に示すカードコネクタから金属シェルを取り除いた状態の、カードコネクタの平面図である。尚、ここでは、金属シェルの有無にかかわらずカードコネクタと称することがある。
【００１７】
図３は、トレイが受容空間に受容された状態のカードコネクタの平面図である。さらに、図４は、受容空間に受容されたトレイが押し出された状態を示した、カードコネクタの平面図である。これら図３，図４では、金属シェル２０は、取り外されている。また、これら図３，図４では、ハウジング組立体１０とトレイ３０の位置関係が分かるように、双方が重ね描きされている。
【００１８】
このカードコネクタ１Ａには、ハウジング組立体１０（図２参照）と、金属シェル２０（図１参照）と、トレイ３０が備えられている。トレイ３０には、中央に大きな開口３１が形成され、その開口の縁に支持台３２が設けられている。このトレイ３０には、ＳＩＭカード（図示せず）が、そのＳＩＭカード底面の周縁を支持台３２に載せ、そのＳＩＭカード底面の中央の広い領域を開口３１から下方に露出させた状態に支持される。
【００１９】
ハウジング組立体１０と金属シェル２０との間には、トレイ３０が差し込まれる差込口１ａが形成されている。また、その差込口１ａの奥には、トレイ３０に載置された状態のＳＩＭカードを受け入れる受容空間１ｂ（例えば図２参照）が形成されている。トレイ３０は、ハウジング組立体１０に対し、矢印Ａで示す挿入方向に挿入される。本実施形態では、トレイ３０単体か、あるいは、トレイ３０と、このトレイ３０に載置されるＳＩＭカードとを合わせたものが、本考案にいう挿入体の一例に相当する。
【００２０】
また、トレイ３０には、挿入方向（矢印Ａ方向）に交わる幅方向側面に係止凹部３３が形成されている。一方、ハウジング組立体１０には、フックバネ１２が備えられている。このフックバネ１２には、係止部１２１が設けられている。トレイ３０が受容空間１ｂに受容されると、フックバネ１２の係止部１２１がトレイ３０の係止凹部３３が入り込んでトレイ３０を係止し、この係止によりトレイ３０の不用意な抜け防止が図られている。
【００２１】
ハウジング組立体１０は樹脂製のハウジング１１を備えており、そのハウジング１１に対し各種部品が一体成形され、あるいは圧入等により組み立てられてハウジング組立体１０を構成している。フックバネ１２は、トレイ３０の係止凹部３３に入り込む係止部１２１から挿入方向（矢印Ａ方向）奥側に延びてその奥側に圧入部１２２を有する。一方、ハウジング１１には、突起部１１１が設けられている。この突起部１１１には、フックバネ１２の圧入部１２２が圧入される圧入溝１１１ａが形成されている。このフックバネ１２は、その圧入部１２２がハウジング１１の突起部１１１の圧入溝１１１ａに圧入されることによりハウジング１１に組み立てられて、ハウジング組立体１０を構成している。
【００２２】
また、ハウジング組立体１０には、樹脂製のハウジング１１と一体に成形された金属製の複数のコンタクト１３が備えられている。各コンタクト１３は、回路基板（図示せず）の表面に半田接続される基板接続部１３１を有する。トレイ３０に載置されたＳＩＭカードの下面には、電気的な接続を担うパッドが形成されている。これらのコンタクト１３は、トレイ３０に載置されて受容空間１ｂに受容されたＳＩＭカードの下面のパッドに接触し、ＳＩＭカードと回路基板とを電気的に相互接続する役割を担っている。
【００２３】
また、このハウジング組立体１０にはさらに、スライダ１４とイジェクトレバー１５が備えられている。
【００２４】
スライダ１４は、フックバネ１２が配置された側と同じ側に配置されて挿入方向（矢印Ａ方向）に延びる金属製部材であり、ハウジング１１に対し挿入方向（矢印Ａ方向）にスライド自在に、そのハウジング１１に支持されている。トレイ３０には、スライダ１４を押し込むための外部のピン４０（図４，図５参照）が差し込まれる貫通孔３４が形成されており、またハウジング１１にもそのピン４０を受け入れる開口１１２が形成されている。
【００２５】
また、このスライダ１４には、その奥側に、挿入方向手前側にスライドしたときに、ハウジング１１の突起部１１１が嵌入して、その突起部１１１を挿入方向（矢印Ａ方向）に交わる幅方向両側から挟持する挟持部１４１が設けられている（図３参照）。この挟持部１４１は、突起部１１１を幅方向両側から挟持することで、フックバネ１２が弾性変形したときの突起部１１１の撓みを抑え、圧入溝１１１ａに圧入されているフックバネ１２の圧入部１２２の位置を所期の位置に強固に固定する役割を担っている。フックバネ１２の圧入部１２２が強固に固定されることにより、弾性変形の際のその圧入部１２２の揺るぎが防止される。これにより、フックバネ１２の係止部１２１がトレイ３０の係止凹部３３に入り込んでトレイ３０を係止した状態における係止能力が所期の能力に維持され、衝撃等によるトレイ３０の不用意な移動や抜け落ちが防止される。
【００２６】
またイジェクトレバー１５は、受容空間１ｂの奥側に配置されて挿入方向（矢印Ａ方向）に交わる幅方向に延びる金属製部材であり、その途中がハウジング１１に回動自在に支持されて回動軸１５１が形成されている。このイジェクトレバー１５は、挿入方向（矢印Ａ方向）奥側にスライドしたスライダ１４に第１端１５２が押されて反時計回り（図４に示す矢印Ｄの向き）に回動し、トレイ３０を第２端１５３で押し出す役割を担っている。
【００２７】
図１，図２に示すように、取り出されている状態のトレイ３０を挿入方向（矢印Ａ方向）に挿入口１ａから挿入し、受容空間１ｂに受容させる。すると図３に示すように、イジェクトレバー１５の第２端１５３がトレイ３０で押されて時計回り（矢印Ｃの向き）に回動し、スライダ１４を挿入方向手前側（図４に示す矢印Ｂ方向）にスライドさせる。スライダ１４のこの動きにより、フックバネ１２の係止部１２１がトレイ３０の係止凹部３３に入り込んでトレイ３０の不用意な抜けを防止する。また、これとともに、スライダ１４の挟持部１４１が突起部１１１を挟持し、これによりフックバネ１２の圧入部１２２が突起部１１１のみで固定されるよりもさらに強固に固定される。このため、フックバネ１２１が所期の強さで作用し、トレイ３０の一層強固な抜け止めが図られる。
【００２８】
図４に示すように、トレイ３０の貫通孔３４からピン４０を差し込んでピン４０でスライダ１４を挿入方向（矢印Ａ方向）奥側に押し込むと、そのスライダ１４によりイジェクトレバー１５の第１端１５２が押される。これにより、イジェクトレバー１５が反時計回り（矢印Ｄの向き）に回動し、その第２端１５３でトレイを矢印Ｂの向きに押す。この状態では、スライダ１４の挟持部１４１は突起部１１１を挟持していない。そして、トレイ３０が矢印Ｂ方向に移動し、フックバネ１２の係止部１２１がトレイ３０の係止凹部３３から外れ、トレイ３０が図４に示す状態にまで押し出される。図４に示す状態にまで押し出された後は、指の爪などをトレイ３０に掛けてトレイ３０が引き出される。
【００２９】
以上で本考案の第１実施形態のカードコネクタの説明を終了し、次に第２実施形態のカードコネクタを説明する。この第２実施形態のカードコネクタの説明にあたり、第１実施形態のカードコネクタとの共通の部分については説明は省略し、相違点のみ説明する。
【００３０】
図５は、本考案の第２実施形態の、トレイが受容空間に受容された状態を示すカードコネクタの平面図である。
【００３１】
また図６は、受容空間に受容されたトレイが押し出された状態を示す、図５のカードコネクタの平面図である。
【００３２】
ここで、これら図５，図６は、第１実施形態のカードコネクタの図面における、それぞれ図３，図４に相当する図である。これら図５，図６において、上述の第１実施形態のカードコネクタの各要素に対応する要素には図１〜図４において付した符号と同一の符号を付して示している。
【００３３】
これら図５，図６に示す第２実施形態のカードコネクタ１Ｂのトレイ３０には、第１実施形態のカードコネクタ１Ａにも設けられている係止凹部３３のほかに、その係止凹部３３よりも挿入方向（矢印Ａ方向）奥側に第２の係止凹部３５が形成されている。また、これに対応して、スライダ１４には、挟持部１４１から延びた先に第２の係止部１４２が設けられている。この第２の係止部１４２には、受容空間１ｂに受容されたトレイ３０の第２の係止凹部３５に入り込んでトレイ３０を受容空間１ｂに受容された状態に係止する役割を担っている。すなわち、この第２実施形態のカードコネクタ１Ｂの場合、受容空間１ｂに受容されたトレイ３０は、係止凹部３３にフックバネ１２の係止部１２１が入り込んで係止されるとともに、第２の係止凹部３５にスライダ１４の第２の係止部１４２が入り込んで係止される。したがって、この第２実施形態のカードコネクタ１Ｂの場合、トレイ３０がさらに強固に係止され、トレイ３０の不用意な抜けが一層確実に防止される。この第２実施形態のカードコネクタ１Ｂの場合も、トレイ３０の貫通孔３４からピン４０が差し込まれ、スライダ１４が挿入方向（矢印Ａ方向）奥側に押されてイジェクトレバー１５が反時計回り（矢印Ｄの向き）に回動してトレイ３０を押す。すると、係止凹部３３および係止凹部３４から係止部１２１および第２の係止部１４２が抜けて係止が外れ、トレイ３０が図６に示す状態にまで押し出される。
【００３４】
尚、上記の第１、第２の実施形態のカードコネクタ１Ａ，１ＢではＳＩＭカードは図示を省略したが、これらのカードコネクタ１Ａ，１Ｂには、ＳＩＭカードを載せた状態のトレイ３０が挿入される。ただし、本考案は、ＳＩＭカード以外のメモリカードをトレイに載せて挿入するカードコネクタにも適用可能である。
【００３５】
また、これら第１、第２の実施形態のカードコネクタ１Ａ，１Ｂは、ＳＩＭカードをトレイ３０に載せて挿入するタイプのカードコネクタであるが、本考案は、メモリカード等のカードをトレイなしに挿入するタイプのカードコネクタにも適用することができる。ただし、その場合は、そのカード自体に係止凹部が設けられ、あるいはさらに第２の係止凹部が設けられている必要がある。
【符号の説明】
【００３６】
１Ａ，１Ｂ    カードコネクタ
１ａ    挿入口
１ｂ    受容空間
１０    ハウジング組立体
１１    ハウジング
１２    フックバネ
１３    コンタクト
１４    スライダ
１５    イジェクトレバー
２０    金属シェル
３０    トレイ
３１    開口
３２    支持台
３３    係止凹部
３４    貫通孔
３５    第２の係止凹部
４０    ピン
１１１    突起部
１１１ａ    圧入溝
１１２    開口
１２１    係止部
１２２    圧入部
１４１    挟持部
１４２    第２の係止部
１５１    回動軸
１５２    第１端
１５３    第２端
【図１】
0003189195.tif 000003
【図２】
0003189195.tif 000004
【図３】
0003189195.tif 000005
【図４】
0003189195.tif 000006
【図５】
0003189195.tif 000007
【図６】
0003189195.tif 000008